(57)【要約】  【課題】  紙や布などをを使用した使い捨ての鍋つかみにおいて、嵩張りを抑えつつ熱いものをつかめるようにすることを課題とする。  【解決手段】  紙もしくは布のシート体により手袋状に形成され、水もしくはアルコールを全体に含む鍋つかみ本体を密閉された容器に封入することで湿った状態で保持し、開封後は水もしくはアルコールの気化熱により鍋つかみ本体の温度が低下し、また、蓄熱効果が高くなるので、予め冷やしておくことで低温がより維持されるので、熱さが緩和され、湿らせることにより厚みを増すことなく全体を薄く形成する。【選択図】  図３
2006174904.tif 000002
【特許請求の範囲】
【請求項１】
紙もしくは布のシート体により手袋状に形成され、水もしくはアルコールを全体に含む鍋つかみ本体と、
この鍋つかみ本体を封入する密閉された容器と
を有する容器入り鍋つかみ。
【請求項２】
前記鍋つかみ本体は、少なくとも指の表面部分が複数枚の重合したシート体により形成される請求項１に記載の容器入り鍋つかみ。
【請求項３】
前記鍋つかみ本体は、少なくとも指の表面部分に複数の凹凸が施される請求項１又は２に記載の容器入り鍋つかみ。
【請求項４】
前記鍋つかみ本体は、裏表で対称に形成される請求項１から３のいずれか１項に記載の使い捨て鍋つかみ。
【請求項５】
前記容器は合成樹脂製の袋であり、前記鍋つかみ本体が１又は２封入される請求項１から４のいずれか１項に記載の容器入り鍋つかみ。
【請求項６】
前記容器は開閉自在の蓋を有し、蓋を閉じた状態で密閉される箱体であり、前記鍋つかみ本体が複数封入される請求項１から４のいずれか１項に記載の容器入り鍋つかみ。
【発明の詳細な説明】
【技術分野】
【０００１】
本発明は高温の鍋や食器を操作する鍋つかみに関し、特に、使い捨てることができる鍋つかみに関する。
【背景技術】
【０００２】
飲食店などで熱い丼などの食器を運ぶ際には、素手で行うことが一般的である。また、盆を使用してテーブルまで運んでも、盆から下ろす際にはやはり素手を使用している。このため、作業者は、熱さに耐えなければならず、また、熱さにより手元がぐらつき食器を倒したりする恐れもある。このような場合、家庭では鍋つかみを使用するが、鍋つかみは厚手のキルトなどにより作られ長期間に渡って使用されるものであるために、汚れている印象があり飲食店で使用することははばかられる。
これに対して、下記、特許文献１に示されるような紙製の断熱手袋を用い１回ごとに捨てて、常に新しいものを使用すれば客に対する印象がよく、衛生上も好ましい。
【特許文献１】特開２００４−１４９９３５号
【発明の開示】
【発明が解決しようとする課題】
【０００３】
上記特許文献１に示す断熱手袋は紙により形成されている。元来紙は断熱性の高い素材であるが、薄いために十分な断熱をするためには、深い凹凸をなどをつける必要がある。しかし、このような大きな凹凸加工を施すと全体が嵩張ってしまう。飲食店などで使い捨てにするためには大量に保持しておく必要があるために、このような嵩張りが累積し、大量に保持するために多くの空間が必要になるという問題が生じる。
そこで、このような問題に鑑み、本発明は、紙や布などをを使用した使い捨ての鍋つかみにおいて、嵩張りを抑えつつ熱いものをつかめるようにすることを課題とする。
【課題を解決するための手段】
【０００４】
上記課題を解決するために、本発明は次のような構成を有する。
請求項１に記載の発明は、紙もしくは布のシート体により手袋状に形成され、水もしくはアルコールを全体に含む鍋つかみ本体と、この鍋つかみ本体を封入する密閉された容器と有する容器入り鍋つかみである。
請求項２に記載の発明は、前記容器入り鍋つかみにおいて、前記鍋つかみ本体は、少なくとも指の表面部分が複数枚の重合したシート体により形成されるものである。
請求項３に記載の発明は、前記容器入り鍋つかみにおいて、前記鍋つかみ本体は、少なくとも指の表面部分に複数の凹凸が施されるものである。
請求項４に記載の発明は、前記容器入り鍋つかみにおいて、前記鍋つかみ本体は、裏表で対称に形成されるものである。
請求項５に記載の発明は、前記容器入り鍋つかみにおいて、前記容器は合成樹脂製の袋であり、前記鍋つかみ本体が１又は２封入されるものである。
請求項６に記載の発明は、前記容器入り鍋つかみにおいて、前記容器は開閉自在の蓋を有し、蓋を閉じた状態で密閉される箱体であり、前記鍋つかみ本体が複数封入されるものである。
【発明の効果】
【０００５】
請求項１に記載の発明は、鍋つかみ本体が水もしくはアルコールを含むことにより、気化熱により鍋つかみの温度が低下し、また、蓄熱効果が高くなるので、予め冷やしておくことで低温がより維持されるので、熱さを緩和することができ、湿らせることにより厚みを増すことはほとんどないので全体を薄く形成することができる。そして、密閉した容器内に封入することで水もしくはアルコールが蒸発することを防ぐことができ、長期間湿った状態で保存することができる。
請求項２に記載の発明は、少なくとも指の表面部分が重合したシート体により形成されるものであるので、重なった部分はより断熱効果が高くなり、特によく使用する指の部分における熱さを緩和することができる。
請求項３に記載の発明は、少なくとも指の表面部分に複数の凹凸が施されるものであり、複数の凹凸が施された部分の断熱効果が高くなり、やはり、特によく使用する指の部分における熱さを緩和することができる。
請求項４に記載の発明は、前記鍋つかみ本体は、裏表で対称に形成されるものであるので、使用時に左右の別を区別する必要がなくなり、また、製造も容易になる。
請求項５に記載の発明は、前記容器は合成樹脂製の袋であり、前記鍋つかみ本体が１又は２封入されるものであるので、使用者は使用する分を持ち運ぶことができ、使用者の利便性を高めることができる。
請求項６に記載の発明は、前記容器は開閉自在の蓋を有し、蓋を閉じた状態で密閉される箱体であり、前記鍋つかみ本体が複数封入されるものであるので、収納効率が高くなり収納のための空間を少なくすることができる。
【発明を実施するための最良の形態】
【０００６】
以下、本発明の実施形態について、図面を参照しながら説明する。
図１に本実施形態に係る容器入り鍋つかみXの鍋つかみ本体１０の正面図を示し、図２に図１のＡ−Ａ断面図を示す。鍋つかみ本体１０を形成するには、まず、綿の不織布をミトンの平面形状に加工して２重に重ねた片面部１１に凹部１１ａが形成されるようにエンボス加工を施し、この片面部１１を２つ重ねて手首部分を残してエッジ部分１１ｂを接着する。その後、このエッジ部分１１ｂが内側になるように折り返すことにより鍋つかみ本体１０が形成される。鍋つかみ本体１０はこのように形成されるので、裏表は対象に形成され右手と左手のいずれにも使用することができる。
図３に容器入り鍋つかみＸの正面図を示す。容器入り鍋つかみＸは鍋つかみ本体１０を折りたたんで、水を含ませた後にポリエチレン製の袋である容器２０内に密閉状態で封入したものである。
【０００７】
このような構成を有する容器入り鍋つかみＸの使用方法を以下に説明する。容器入り鍋つかみＸは、主に飲食店などにおいて使用される。使用前は冷蔵庫などで保存することが好ましい。まず、配膳のために熱い食器などを運ぶ必要がある使用者は容器２０を破って、鍋つかみ本体１０を取り出し、左右いずれかの手に装着する。この際、必要であればもう一つの容器入り鍋つかみＸから鍋つかみ本体１０を取り出して両方の手に装着してもよい。この状態で、使用者は食器を鍋つかみ本体１０を介して手に持ち客のテーブルなどに運ぶ。そして、使用後は手から鍋つかみ本体１０をはずして廃棄する。なお、客が蟹や骨付き肉、魚のアラなどの手に持って食べる必要がある料理を食べる際に、客に鍋つかみ本体１０を装着してもらい、手を直接汚さなくしたり、匂いがつかないようにするなどの使いかたも可能である。
【０００８】
なお、上記実施の形態では鍋つかみ本体１０の材料として不織布を用いているが、柔軟性があり水分を含むものであれば足りるので、種々の布や紙を使用することができる。また、上記実施形態では水により湿らせているがエチルアルコールやメチルアルコールなどのアルコールによって湿らせてもよい。さらに、上記の実施形態では、鍋つかみ本体１０はミトン型の手袋を形成しているが、５本指が分かれた手袋や人差し指と中指、薬指と小指が一つの袋に入るような手袋等種々の手袋の形状をとることができる。また、人による指の長さの違いや、爪を伸ばしている人を考慮して、手袋の少なくともひとつ以上の指の先端部分を開放するようにしてもよい。
そして、上記実施の形態では、鍋つかみ本体１０は袋状の容器に１つだけ封入されているが、開閉自在の蓋を有する箱状の容器に複数封入するようにしてもよい。図４にこのような箱体を容器とする容器入り鍋つかみＹの縦断面図を示す。この容器入り鍋つかみＹは、直方体状の容器３０の上方に開閉自在な蓋体３１を固定したものであり、蓋体３１を閉じると密閉状態となる。そして、容器３０内部には湿らせた前記鍋つかみ本体１０が折りたたんだ状態で重ねられて複数枚収容されている。このように箱状の容器に複数の鍋つかみ本体１０を収容すると、１枚１枚袋状の容器に入れる場合に比較して全体の体積を減らすことができる。      
【図面の簡単な説明】
【０００９】
【図１】鍋つかみ本体を示す正面図である。
【図２】図１のＡ−Ａ断面図である。
【図３】容器入り鍋つかみを示す正面図である。
【図４】容器入り鍋つかみの他の例を示す縦断面図である。
【符号の説明】
【００１０】
Ｘ、Ｙ  容器入り鍋つかみ    
１０  鍋つかみ本体
２０、３０  容器
【図１】
2006174904.tif 000003
【図２】
2006174904.tif 000004
【図３】
2006174904.tif 000005
【図４】
2006174904.tif 000006